(57)【特許請求の範囲】
【請求項１】
携帯用皮膚美容機器（１００）の本体（１０１）に備えた顔面皮膚接触部（１０２）と、
前記顔面皮膚接触部（１０２）の周縁部の内側に設けた遠赤外線出力部（１０４）と、
使用者が本体（１０１）を手で握ったときに手の皮膚と接触される接地部（１０６）と、
携帯用皮膚美容機器（１００）の動作をオン／オフする電源キー（１０８）と、
各美容段階を表示する複数の表示窓（１１０）と、
各美容段階をそれぞれ選択する美容段階選択キー（１１４）と、
ガルバニック電流、遠赤外線および振動の「弱」を設定する「弱」キー（１１８）と、
ガルバニック電流、遠赤外線および振動の「強」を設定する「強」キー（１２２）と、
顔面皮膚が、乾性皮膚か中性皮膚か脂性皮膚かを測定する皮膚測定を命令する皮膚測定キー（１２８）と、
携帯用皮膚美容機器の全体動作を制御するマイクロコンピュータ（２００）と、
使用者が前記電源キー（１０８）、美容段階選択キー（１１４）、「弱」キー（１１８）、「強」キー（１２２）および皮膚測定キー（１２８）を選択的に押すことによる動作命令を出力して前記マイクロコンピュータ（２００）に入力させるキー入力部（２２０）と、
電源が供給される初期に、所定時間の間、マイクロコンピュータ（２００）をリセットさせる初期リセット部（２３０）と、
マイクロコンピュータ（２００）の制御によって携帯用皮膚美容機器の現在の動作状態を表示する表示部（２１０）と、
マイクロコンピュータ（２００）の制御によってガルバニック電流を出力するガルバニック電流出力部（２６０）と、
前記ガルバニック電流出力部（２６０）から出力されるガルバニック電流が、使用者の顔面皮膚に流れているか否かを検出するガルバニック電流検出部（２７０）と、
前記マイクロコンピュータ（２００）の制御によって振動を発生する振動発生部（２８０）と、
前記マイクロコンピュータ（２００）の制御によって遠赤外線を発生する遠赤外線発生部（２９０）と、より成り、
前記ガルバニック電流出力部（２６０）は、
バッテリの電源を昇圧させる直流／直流変換部（２６２）と、
この直流／直流変換部（２６２）の出力電源レベルを調節する電源レベル調節部（２６４）と、
前記直流／直流変換部（２６２）から顔面皮膚接触部（１０２）に出力されるガルバニック電流の流れ方向を切り替えるガルバニック電流の流れ方向切替え部（２６６）と、
より構成されており、
前記美容段階選択キー（１１４）を、美容段階であるクレンジングの段階に切り換えると、所定時間、所定周波数の正のガルバニック電流を所定時間の間隔を置いて繰り返し出力し、
同じくマッサージの段階に切り換えると、所定時間、所定周波数の正のガルバニック電流を出力し、次の所定時間、所定周波数の負のガルバニック電流を出力し、次の所定時間の間は、所定周波数の正および負のガルバニック電流を出力することを繰り返し、
同じく栄養供給の段階に切り換えると、所定時間、所定周波数の負のガルバニック電流を所定時間の間隔を置いて繰り返し出力し、
同じくリフティングの段階に切り換えると、所定周波数の範囲で周波数が可変する正および負のガルバニック電流を出力する
ことを特徴とする携帯用皮膚美容機器。
【請求項２】
前記マイクロコンピュータ（２００）の制御によって所定の警報および所定のメロディを発する警報／メロディ出力部（２４０）と、
バッテリの電源（Ｂ＋）状態を検出して前記マイクロコンピュータ（２００）に入力させるバッテリ検出部（２５０）と、
をさらに備えることを特徴とする請求項１に記載の携帯用皮膚美容機器。
【発明の詳細な説明】
【０００１】
【発明の属する技術分野】
本発明は、使用者が簡便に携帯しながら、ガルバニック（galvanic）電流、遠赤外線および振動を用いて顔面皮膚の美容を行い、また、皮膚状態の測定を行うことができる携帯用皮膚美容機器に関する。
【０００２】
【従来の技術】
顔面皮膚が弾力を失わないように保護し、若さや美しさを保つ方法としては、化粧品を用いる方法が広く行われている。
しかし、皮膚表皮の角質層の下には、厚いタンパク質保護層として防御壁が形成されて保護の機能をしており、このタンパク質保護層によって、表皮と真皮とが分離されているため、バイオ物質などの添加された、皮膚保護の効果に優れた化粧品を使用しても、真皮層に溜まっている老廃物を除去することができず、さらに、化粧品の栄養が真皮層にまで深く浸透されなくて皮膚保護の効果が十分に得られない。
【０００３】
それで、最近、ガルバニック電流、遠赤外線または振動を利用して皮膚の美容を行う皮膚美容機器が種々知られている。
ガルバニック電流とは、時間の経過にもかかわらず、流れの方向および大きさが一定に維持される電流であって、化学的効果、加熱効果および血管運動の刺激効果が大きく、さらに、流れているガルバニック電流から、磁力線が発生されることは勿論、熱も発生している。
遠赤外線は、人体が一番多く吸収する６６０〜９４０ＵＭＨｚの波長帯を用いるものであって、皮膚の老化を防止し、血液循環を促進する。
振動は、人体の神経を刺激し、筋肉の疲労をなくす効果を奏する。
【０００４】
しかし、従来の携帯用皮膚美容機器は、ガルバニック電流、遠赤外線および振動の内、いずれか一つだけを用いて皮膚美容を行っているため、皮膚美容に限界があり、これにより、製品の信頼性が低下するという問題点があった。
【０００５】
また、バッテリの電源でガルバニック電流を発生しているので、ガルバニック電流および電圧があまりに低く、しかも、ガルバニック電流の周波数が低くて皮膚の刺激効果が十分でないため、皮膚美容の効果が十分に得られない。
【０００６】
さらに、ガルバニック電流による皮膚美容は、クレンジングの段階、マッサージの段階、栄養供給の段階およびリフティングの段階を順次遂行するものであって、クレンジングの段階では、連続的な正のガルバニック電流を出力し、栄養供給の段階では、連続的な負のガルバニック電流を出力し、マッサージの段階およびリフティングの段階では、一定時間の間、連続的な正のガルバニック電流を出力し、次の一定時間の間、連続的な負のガルバニック電流を出力するという過程を繰り返すが、ガルバニック電流による皮膚刺激の効果が十分でないし、皮膚美容の効果が低いという問題点があった。
【０００７】
【発明が解決しようとする課題】
従って、本発明の目的は、バッテリの電源を昇圧させ、ガルバニック電流を発生することは勿論、ガルバニック電流の周波数を高く発生することにより、皮膚美容効果の優れた携帯用皮膚美容機器を提供することにある。
【０００８】
本発明の他の目的は、皮膚美容段階に従い、周期的にガルバニック電流の流れ方向を可変させて出力する携帯用皮膚美容機器を提供することにある。
【０００９】
本発明のまた他の目的は、皮膚美容段階に従い、ガルバニック電流と共に遠赤外線を出力し、かつ、振動を選択的に発生して顔面皮膚の美容を行う携帯用皮膚美容機器を提供することにある。
【００１０】
本発明のさらに他の目的は、使用者が簡単に自分の顔面皮膚の状態を測定し確認することができる携帯用皮膚美容機器を提供することにある。
【００１１】
【課題を解決するための手段】
上述の目的を達成するための本発明の携帯用皮膚美容機器は、携帯用皮膚美容機器（１００）の本体（１０１）に備えた顔面皮膚接触部（１０２）と、前記顔面皮膚接触部（１０２）の周縁部の内側に設けた遠赤外線出力部（１０４）と、使用者が本体（１０１）を手で握ったときに手の皮膚と接触される接地部（１０６）と、携帯用皮膚美容機器（１００）の動作をオン／オフする電源キー（１０８）と、各美容段階を表示する複数の表示窓（１１０）と、各美容段階をそれぞれ選択する美容段階選択キー（１１４）と、ガルバニック電流、遠赤外線および振動の「弱」を設定する「弱」キー（１１８）と、ガルバニック電流、遠赤外線および振動の「強」を設定する「強」キー（１２２）と、顔面皮膚が、乾性皮膚か中性皮膚か脂性皮膚かを測定する皮膚測定を命令する皮膚測定キー（１２８）と、携帯用皮膚美容機器の全体動作を制御するマイクロコンピュータ（２００）と、使用者が前記電源キー（１０８）、美容段階選択キー（１１４）、「弱」キー（１１８）、「強」キー（１２２）および皮膚測定キー（１２８）を選択的に押すことによる動作命令を出力して前記マイクロコンピュータ（２００）に入力させるキー入力部（２２０）と、電源が供給される初期に、所定時間の間、マイクロコンピュータ（２００）をリセットさせる初期リセット部（２３０）と、マイクロコンピュータ（２００）の制御によって携帯用皮膚美容機器の現在の動作状態を表示する表示部（２１０）と、マイクロコンピュータ（２００）の制御によってガルバニック電流を出力するガルバニック電流出力部（２６０）と、前記ガルバニック電流出力部（２６０）から出力されるガルバニック電流が、使用者の顔面皮膚に流れているか否かを検出するガルバニック電流検出部（２７０）と、前記マイクロコンピュータ（２００）の制御によって振動を発生する振動発生部（２８０）と、前記マイクロコンピュータ（２００）の制御によって遠赤外線を発生する遠赤外線発生部（２９０）と、より成り、前記ガルバニック電流出力部（２６０）は、
バッテリの電源を昇圧させる直流／直流変換部（２６２）と、この直流／直流変換部（２６２）の出力電源レベルを調節する電源レベル調節部（２６４）と、前記直流／直流変換部（２６２）から顔面皮膚接触部（１０２）に出力されるガルバニック電流の流れ方向を切り替えるガルバニック電流の流れ方向切替え部（２６６）と、より構成されており、
前記美容段階選択キー（１１４）を、美容段階であるクレンジングの段階に切り換えると、所定時間、所定周波数の正のガルバニック電流を所定時間の間隔を置いて繰り返し出力し、
同じくマッサージの段階に切り換えると、所定時間、所定周波数の正のガルバニック電流を出力し、次の所定時間、所定周波数の負のガルバニック電流を出力し、次の所定時間の間は、所定周波数の正および負のガルバニック電流を出力することを繰り返し、
同じく栄養供給の段階に切り換えると、所定時間、所定周波数の負のガルバニック電流を所定時間の間隔を置いて繰り返し出力し、
同じくリフティングの段階に切り換えると、所定周波数の範囲で周波数が可変する正および負のガルバニック電流を出力する、ことを特徴とする携帯用皮膚美容機器としたものである。
すなわち、本発明の携帯用皮膚美容機器は、マイクロコンピュータ（２００）で制御されるガルバニック電流出力部（２６０）、さらに、振動発生部（２８０）および遠赤外線発生部（２９０）を備え、ガルバニック電流、振動および遠赤外線を、各美容段階に応じて顔面に当てることにより、顔面の皮膚美容効果を期待するものである。
【００１２】
なお、皮膚美容は、クレンジング、マッサージ、栄養供給およびリフティングの段階を順次遂行することによって行われる。
【００１３】
クレンジングの段階では、遠赤外線および振動を発生し続けながら、直流／直流変換部からの出力電源で、一定時間の間、約２〜１０Ｈｚの周波数を有する正のガルバニック電流を供給し、次の一定時間の間は、連続的な正のガルバニック電流を供給することを繰り返すことによって、皮膚の奥深いところに溜まっている毒素や老廃物を取り除く。
【００１４】
マッサージの段階では、遠赤外線および振動を発生し続けながら、直流／直流変換部からの出力電源で、一定時間の間、約２〜１０Ｈｚの周波数を有する正のガルバニック電流を供給し、次の一定時間の間は、約２〜１０Ｈｚの周波数を有する負のガルバニック電流を供給し、また、次の一定時間の間は、約２〜１０Ｈｚの周波数を有する正および負のガルバニック電流を出力することを繰り返すことによって、顔面皮膚の毛穴を拡張および縮小させ、色つやの良い弾力性のある皮膚に維持させる。
【００１５】
栄養供給の段階では、遠赤外線および振動を発生し続けながら、直流／直流変換部からの出力電源で、一定時間の間、約２〜１０Ｈｚの周波数を有する負のガルバニック電流を供給し、次の一定時間の間は、連続的な負のガルバニック電流を供給することを繰り返すことによって、皮膚の奥深いところにまで化粧品の栄養を供給する。
【００１６】
リフティングの段階では、遠赤外線を発生し続けながら、直流／直流変換部からの出力電源で、約０．５〜５Ｈｚの周波数の範囲で可変する正および負のガルバニック電流を出力することにより、顔面皮膚の毛穴を拡張および縮小させ、色つやの良い弾力性のある皮膚に維持させる。
【００１７】
なお、使用者が皮膚測定を選択する場合は、顔面皮膚へ流れるガルバニック電流を測定し、この測定したガルバニック電流で顔面皮膚が、乾性皮膚（dry skin）か、中性皮膚（neutral skin）か、脂性皮膚（fat skin）かを判断して表示することにより、使用者がそれを確認することができる。
【００１８】
【発明の実施の形態】
以下、添付の図面に基づいて、本発明の携帯用皮膚美容機器について詳細に説明する。
【００１９】
図１は本発明に係る携帯用皮膚美容機器１００の外観を示した斜視図である。ここで、符号１０１は本発明の携帯用皮膚美容機器の本体である。前記本体１０１の上端前方には、使用者の顔面皮膚に接触し、ガルバニック電流を出力する顔面皮膚接触部１０２が設けられており、顔面皮膚接触部１０２の周縁部の内側には、図２に示したように、複数の遠赤外線ダイオードＵＤ１、ＵＤ３、ＵＤ５が設けられ、遠赤外線を出力する遠赤外線出力部１０４を備え、本体１０１の左右両側には、使用者が本体１０１を手で握ったとき、皮膚と接触される接地部１０６が設けられている。
【００２０】
符号１０８は携帯用皮膚美容機器１００の動作をオン／オフする電源キーである。前記電源キー１０８の下部には、クレンジングの段階、マッサージの段階、栄養供給の段階およびリフティングの段階を表示する複数の表示窓１１０が設けられ、この表示窓１１０の内側にはクレンジング段階、マッサージ段階、栄養供給段階およびリフティング段階を表示するための発光ダイオード１１２が内蔵される。
【００２１】
前記表示窓１１０の下部には、使用者の操作によって、クレンジング段階、マッサージ段階、栄養供給段階およびリフティング段階を設定し、かつ、表示する美容段階選択キー１１４および発光ダイオード１１６と、ガルバニック電流、遠赤外線および振動の「弱」を設定および表示し、振動の停止または振動の出力を設定する「弱」キー１１８および発光ダイオード１２０と、ガルバニック電流、遠赤外線および振動の「強」を設定および表示し、かつ、メロディの出力および停止を設定する「強」キー１２２および発光ダイオード１２４と、皮膚測定状態を表示する複数の発光ダイオード１２６と、皮膚測定を命令および表示する皮膚測定キー１２８および発光ダイオード１３０と、バッテリ（図示せず）の電源充電状態を表示する発光ダイオード１３２を順次備えている。
【００２２】
図２は本発明の制御装置の構成を示した回路図である。ここで、符号２００は顔面皮膚美容の全体動作を制御するマイクロコンピュータ、符号２１０は、前記マイクロコンピュータ２００の制御によって前記発光ダイオード１１２、１１６、１２０、１２４、１２６、１３０、１３２を選択的に点灯／点滅させることにより、現在の動作状態を表示する表示部である。
【００２３】
符号２２０は、使用者が、前記電源キー１０８、美容段階選択キー１１４、「弱」キー１１８、「強」キー１２２および皮膚測定キー１２８を選択的に押すことによる動作命令を出力して前記マイクロコンピュータ２００に入力させるキー入力部である。
【００２４】
符号２３０は、電源（Ｂ＋）が供給される初期に、所定時間の間、前記マイクロコンピュータ２００をリセットさせる初期リセット部であり、符号２４０は、前記マイクロコンピュータ２００の制御によって所定の警報および所定のメロディを出力する警報／メロディ出力部であり、符号２５０は、バッテリの電源（Ｂ＋）状態を検出して前記マイクロコンピュータ２００に入力させるバッテリ検出部である。
【００２５】
符号２６０は、前記マイクロコンピュータ２００の制御によってガルバニック電流を出力するガルバニック電流出力部である。
前記ガルバニック電流出力部２６０は、バッテリの電源（Ｂ＋）を昇圧させる直流／直流変換部２６２と、この直流／直流変換部２６２の出力電源レベルを調節する電源レベル調節部２６４と、前記直流／直流変換部２６２から前記顔面皮膚接触部１０２に出力されるガルバニック電流の流れ方向を切り替えるガルバニック電流の流れ方向切替え部２６６を備えている。
【００２６】
前記直流／直流変換部２６２は、例えば、「New Japan Radio Co.,Ltd 」で製造および販売する、チップ番号「ＮＪＭ２３６０」の直流／直流変換用集積素子２６０Ａを用いて、バッテリの電源（Ｂ＋）を昇圧させるものであって、直流／直流変換用集積素子２６０Ａのスイッチングリミッタ／接地端子ＳＬ／ＧＮＤが接地され、タイミングキャパシタ端子ＴＣに接地コンデンサＣ３が接続される。また、電源（Ｂ＋）が接地コンデンサＣ１および直流／直流変換用集積素子２６０Ａの電源端子Ｖｃｃに印加されるように接続され、電源（Ｂ＋）が抵抗Ｒ１を介して前記直流／直流変換用集積素子２６０Ａのセンス端子ＳＥに印加されるように接続され、その接続点が抵抗Ｒ３を介して前記直流／直流変換用集積素子２６０Ａの出力駆動端子ＤＣに接続され、コイルＬを介してスイッチングコレクタ端子ＣＳに接続される。
また、前記コイルＬおよびスイッチングコレクタ端子ＣＳの接続点がダイオードＤを介して接地コンデンサＣ５に接続されると共に、その接続点に抵抗Ｒ５、Ｒ７、Ｒ９が直列接続され、抵抗Ｒ５、Ｒ７の接続点が前記直流／直流変換用集積素子２６０Ａの比較電圧反転入力端子ＩＮに接続される。
また、前記ダイオードＤ、接地コンデンサＣ５および抵抗Ｒ５の接続点が抵抗Ｒ１１、Ｒ１３をそれぞれ介して前記顔面皮膚接触部１０２および接地部１０６にそれぞれ接続される。
【００２７】
前記電源レベル調節部２６４は、前記マイクロコンピュータ２００の出力端子ＯＵＴ１が抵抗Ｒ１５を介してトランジスタＱ１のベースに接続され、トランジスタＱ１のコレクタが前記抵抗Ｒ７、Ｒ９の接続点に接続され、トランジスタＱ１のオンおよびオフに従い前記直流／直流変換用集積素子２６０Ａの比較電圧反転入力端子ＩＮの入力電圧が可変しながら、スイッチングコレクタ端子ＣＳの出力電圧が可変するように構成される。
【００２８】
前記ガルバニック電流の流れ方向切替え部２６６は、前記マイクロコンピュータ２００の出力端子ＯＵＴ２、ＯＵＴ３が抵抗Ｒ１７、Ｒ１９を介してトランジスタＱ３、Ｑ５のベースに接続され、トランジスタＱ３のコレクタが前記抵抗Ｒ１１および顔面皮膚接触部１０２の接続点に接続されると共に、トランジスタＱ５のコレクタが前記抵抗Ｒ１３および接地部１０６の接続点に接続され、トランジスタＱ３、Ｑ５が選択的にオン／オフすることにより、前記顔面皮膚接触部１０２に正のガルバニック電流および負のガルバニック電流が選択的に出力されるように構成される。
【００２９】
符号２７０は、前記顔面皮膚接触部１０２および接地部１０６を通じて使用者の顔面皮膚にガルバニック電流が流れるか否かを検出するガルバニック電流検出部である。
前記ガルバニック電流検出部２７０は、前記抵抗Ｒ１３および接地部１０６の間にフォトカップラ２７２の二つの発光素子が互いに逆の方向に連結され、フォトカップラ２７２の受光トランジスタのコレクタに電源（Ｂ＋）が印加されるように接続される。また、前記フォトカップラ２７２の受光トランジスタのエミッタは、接地抵抗Ｒ２１、接地抵抗Ｒ２３、接地コンデンサＣ７を介して接地され、さらに、抵抗Ｒ２５およびバッファで動作する演算増幅器２７４を順次通じ、抵抗Ｒ２７、Ｒ２９、Ｒ３１および演算増幅器２７６からなる増幅器を再び介して前記マイクロコンピュータ２００の入力端子ＣＩＮに接続される。
【００３０】
符号２８０は、前記マイクロコンピュータ２００の制御によって振動を発生する振動発生部である。
前記振動発生部２８０は、前記マイクロコンピュータ２００の出力端子ＯＵＴ５が抵抗Ｒ３３を介してトランジスタＱ７のベースに接続されてトランジスタＱ７のコレクタにバッテリの電源（Ｂ＋）が印加されるように接続され、トランジスタＱ７のエミッタが抵抗Ｒ３５、Ｒ３７を順次介してモータ２８２に接続される。また、前記マイクロコンピュータ２００の出力端子ＯＵＴ４が抵抗Ｒ３９を介してトランジスタＱ９のベースに接続されてトランジスタＱ９のコレクタが前記トランジスタＱ７のエミッタおよび抵抗Ｒ３５の接続点に接続され、トランジスタＱ９のエミッタが前記抵抗Ｒ３５、Ｒ３７の接続点に接続される。
【００３１】
符号２９０は、前記マイクロコンピュータ２００の制御によって遠赤外線を発生する遠赤外線発生部である。
前記遠赤外線発生部２９０は、前記マイクロコンピュータ２００の出力端子ＯＵＴ６が抵抗Ｒ４１を介してトランジスタＱ１１のベースに接続され、トランジスタＱ１１のコレクタにバッテリの電源（Ｂ＋）が印加されるように接続され、トランジスタＱ１１のエミッタが抵抗Ｒ４３、Ｒ４５を順次介して複数の遠赤外線ダイオードＵＤ１、ＵＤ３、ＵＤ５に接続される。また、前記マイクロコンピュータ２００の出力端子ＯＵＴ４が抵抗Ｒ４７を介してトランジスタＱ１３のベースに接続されてトランジスタＱ１３のコレクタが前記トランジスタＱ１１のエミッタおよび抵抗Ｒ４３の接続点に接続され、トランジスタＱ１３のエミッタが前記抵抗Ｒ４３、Ｒ４５の接続点に接続される。
【００３２】
このような構成の本発明の携帯用皮膚美容機器は、キー入力部２２０の電源キー１０８を押して電源をオンとし、バッテリの電源（Ｂ＋）が供給されると、初期リセット部２３０がマイクロコンピュータ２００を初期リセットさせ、マイクロコンピュータ２００は初期化動作を行う。
【００３３】
このような状態で、使用者が美容段階選択キー１１４を押すことによって、マイクロコンピュータ２００は、皮膚美容段階を、クレンジング段階→マッサージ段階→栄養供給段階→リフティング段階→クレンジング段階に、順次設定する。
【００３４】
また、マイクロコンピュータ２００は、使用者が「弱」キー１１８を押すことにより、ガルバニック電流、遠赤外線および振動出力を「弱」に設定し、発光ダイオード１２０を動作させて表示し、「弱」キー１１８を押した時間によって振動停止または振動出力を設定し、また「強」キー１２２を押すことにより、ガルバニック電流、遠赤外線および振動出力を「強」に設定し、発光ダイオード１２４を動作させて表示し、「強」キー１２２を押した時間によってメロディの出力および停止を設定し、さらに、皮膚測定キー１２８を押すことにより、皮膚測定を設定する。
【００３５】
なお、バッテリの電源（Ｂ＋）が供給されることによって、ガルバニック電流出力部２６０の直流／直流変換用集積素子２６０Ａが動作して出力駆動端子ＤＣに駆動信号を出力し、出力した駆動信号によってコイルＬには高電圧が誘導されて出力され、コイルＬで昇圧した電源は、ダイオードＤを介して整流され、かつ、接地コンデンサＣ５により平滑されて直流電源に変換した後、抵抗Ｒ１１、Ｒ１３と、顔面皮膚接触部１０２および接地部１０６を介して顔面皮膚にガルバニック電流を出力する。
【００３６】
ここで、ガルバニック電流の出力レベルが「強」に設定されている場合は、マイクロコンピュータ２００は、出力端子ＯＵＴ１に低電位を出力し、この出力した低電位によって電源レベル調節部２６４のトランジスタＱ１がオフされるため、直流／直流変換用集積素子２６０Ａの比較電圧反転入力端子ＩＮには高電圧が印加され、ガルバニック電流出力部２６０は高レベルのガルバニック電流を出力する。
【００３７】
一方、ガルバニック電流の出力レベルが「弱」に設定されている場合は、マイクロコンピュータ２００は、出力端子ＯＵＴ１に高電位を出力し、この出力した高電位により上記とは逆に、トランジスタＱ１がオンし、抵抗Ｒ７、Ｒ９の接続点がトランジスタＱ１を介して等価的に接地されるため、直流／直流変換用集積素子２６０Ａの比較電圧反転入力端子ＩＮには低電圧が印加され、ガルバニック電流出力部２６０は低レベルのガルバニック電流を出力する。
【００３８】
このような状態で、ガルバニック電流の流れ方向切替え部２６６は、マイクロコンピュータ２００の制御によって、前記ガルバニック電流出力部２６０が顔面皮膚に出力するガルバニック電流の流れ方向を可変させるようになる。
【００３９】
すなわち、マイクロコンピュータ２００が出力端子ＯＵＴ２に低電位を出力し、出力端子ＯＵＴ３に高電位を出力する場合は、ガルバニック電流の流れ方向切替え部２６６のトランジスタＱ３がオフとなり、トランジスタＱ５がオンするため、ガルバニック電流出力部２６０が出力するガルバニック電流が抵抗Ｒ１１、顔面皮膚接触部１０２、使用者の顔面皮膚、接地部１０６、フォトカップラ２７２の発光素子およびトランジスタＱ５を順次介して接地に流れ、顔面皮膚には正のガルバニック電流が流れるようになる。
【００４０】
さらに、マイクロコンピュータ２００が出力端子ＯＵＴ２に高電位を出力し、出力端子ＯＵＴ３に低電位を出力する場合は、上記とは逆に、トランジスタＱ３がオンし、トランジスタＱ５がオフとなるため、ガルバニック電流出力部２６０が出力するガルバニック電流が、抵抗Ｒ１３、フォトカップラ２７２の発光素子、接地部１０６、使用者の顔面皮膚、顔面皮膚接触部１０２およびトランジスタＱ３を順次介して接地に流れ、顔面皮膚には負のガルバニック電流が流れるようになる。
【００４１】
また、マイクロコンピュータ２００が出力端子ＯＵＴ２、ＯＵＴ３共に高電位を出力する場合、トランジスタＱ３、Ｑ５が一緒にオンするため、顔面皮膚にはガルバニック電流が流れないようになる。
【００４２】
この時、使用者の顔面皮膚にガルバニック電流が供給されることにより、ガルバニック電流検出部２７０のフォトカップラ２７２の発光素子が発光し、フォトカップラ２７２の発光素子の光を受光トランジスタが受光してオンするため、フォトカップラ２７２の受光トランジスタのエミッタには使用者の顔面皮膚に流れるガルバニック電流による所定のレベルの検出信号が出力される。
【００４３】
前記フォトカップラ２７２の受光トランジスタのエミッタに出力される所定のレベルの検出信号は、抵抗Ｒ２５およびバッファで動作する演算増幅器２７４を介して緩衝増幅され、抵抗Ｒ２７、Ｒ２９、Ｒ３１および演算増幅器２７６からなる増幅器でさらに増幅され、前記マイクロコンピュータ２００の入力端子ＣＩＮに入力されるものであって、マイクロコンピュータ２００は、入力端子ＣＩＮの入力信号で使用者の顔面皮膚にガルバニック電流が出力されるか否かを確認することができる。
【００４４】
また、使用者が皮膚測定キー１２８を押して皮膚測定を選択した場合、上記のように、ガルバニック電流検出部２７０が出力する検出信号をマイクロコンピュータ２００が入力してデジタル信号に変換し、この変換したデジタル信号のレベルで皮膚状態を判断した後、発光ダイオード１２６を選択的に点灯させ、使用者の顔面皮膚が、乾性皮膚か、中性皮膚か、脂性皮膚かを表示することにより、使用者がそれを確認することができる。
【００４５】
振動を出力する場合、マイクロコンピュータ２００が出力端子ＯＵＴ５に高電位を出力し、この出力した高電位は、振動発生部２８０の抵抗Ｒ３３を介してトランジスタＱ７のベースに印加されるため、トランジスタＱ７がオンする。
そうすると、電源（Ｂ＋）がトランジスタＱ７および抵抗Ｒ３５、Ｒ３７を順次介してモータ２８２に印加され、モータ２８２が駆動される。
ここで、モータ２８２の回転軸には偏心カムが設けられ、モータ２８２の駆動に従い偏心カムが回転しながら「弱」レベルの振動を発生する。
【００４６】
この時、使用者が「強」を設定した場合、マイクロコンピュータ２００は、出力端子ＯＵＴ４に高電位を出力し、この出力した高電位は、抵抗Ｒ３９を介してトランジスタＱ９のベースに印加されるため、トランジスタＱ９がオンし、電源（Ｂ＋）がトランジスタＱ７、Ｑ９および抵抗Ｒ３７を順次介して、相対的に高い電圧がモータ２８２に印加され、モータ２８２が高速で駆動し、「強」レベルの振動が発生する。
【００４７】
遠赤外線を出力する場合、マイクロコンピュータ２００が出力端子ＯＵＴ６に高電位を出力し、この出力した高電位は遠赤外線発生部２９０の抵抗Ｒ４１を介してトランジスタＱ１１のベースに印加され、トランジスタＱ１１がオンする。
そうすると、電源（Ｂ＋）がトランジスタＱ１１および抵抗Ｒ４３、Ｒ４５を順次介して複数の遠赤外線ダイオードＵＤ１、ＵＤ３、ＵＤ５に印加されるため、遠赤外線ダイオードＵＤ１、ＵＤ３、ＵＤ５が点灯し、かつ遠赤外線出力部１０４を介して使用者の顔面皮膚に「弱」レベルの遠赤外線を出力する。
【００４８】
この時、使用者が「強」を設定した場合、マイクロコンピュータ２００は、出力端子ＯＵＴ４に高電位を出力し、この出力した高電位は抵抗Ｒ４７を介してトランジスタＱ１３のベースに印加されるため、トランジスタＱ１３がオンし、電源（Ｂ＋）がトランジスタＱ１１、Ｑ１３および抵抗Ｒ４５を順次介して複数の遠赤外線ダイオードＵＤ１、ＵＤ３、ＵＤ５に印加されるため、複数の遠赤外線ダイオードＵＤ１、ＵＤ３、ＵＤ５には多大な電流が流れ、「強」レベルの遠赤外線が出力される。
【００４９】
図３乃至図１１は本発明の制御方法を示した信号流れ図である。
図示のように、使用者が図３の段階Ｓ３０２で、図２に示すキー入力部２２０の電源キー１０８を押した場合、マイクロコンピュータ２００は段階Ｓ３０４で電源をオンとし、段階Ｓ３０６で初期リセット部２３０の出力信号によって初期化動作を行い初期化する。
【００５０】
前記段階Ｓ３０６の初期化動作が完了すると、マイクロコンピュータ２００は、段階Ｓ３０８で、皮膚美容の第一の段階であるクレンジング段階を設定し、段階Ｓ３１０でガルバニック電流、遠赤外線および振動の出力レベルを「弱」に設定した後、段階Ｓ３１２で、バッテリ検出部２５０の出力信号でバッテリの電圧状態を判断する。
次の段階Ｓ３１４で、バッテリの電圧状態の判断結果、バッテリの電圧が予め設定された第１の電圧以上でない場合、段階Ｓ３１６で、バッテリの電圧が前記第１の電圧より低い第２の電圧以下であるか否かを判断し、判断の結果、第２の電圧以下である場合は、段階Ｓ３１８で、電源をオフさせてバッテリの過放電を防止する。
また、前記段階Ｓ３１６で、バッテリの電圧が第２の電圧以上である場合は、バッテリの電源が過放電されないと判断し、マイクロコンピュータ２００は、段階Ｓ３２０で、図１に示す発光ダイオード１３２を点灯させてバッテリの電圧が十分でないことを表示した後、段階Ｓ３２２でキー信号が入力されるか否かを判断する。
【００５１】
前記段階Ｓ３２２で、キー信号が入力される場合、段階Ｓ３２４で、後述するキー信号入力ルチンを遂行し、前記段階Ｓ３２２でキー信号が入力されていない場合は、段階Ｓ３２６で、現在皮膚測定をしているかを判断し、判断の結果、現在皮膚測定をしている場合は、段階Ｓ３２８で、後述する皮膚測定ルチンを遂行し、現在皮膚測定をしていない場合は、段階Ｓ３３０で、後述する皮膚美容ルチンを遂行する。
【００５２】
前記図３の段階Ｓ３２４のキー信号入力ルチンは、図４（ａ）に示したように、段階Ｓ４０２で、図２に示す警報／メロディ出力部２４０を制御し、所定時間の間、キー入力音を出力し、段階Ｓ４０４で入力されたキー信号を判断し、段階Ｓ４０６で電源キー１０８の入力が判断される場合、段階Ｓ４０８で電源をオフさせ、終了する。
【００５３】
また、段階Ｓ４１０で、図１に示す美容段階選択キー１１４の入力が判断される場合、段階Ｓ４１２で、後述する美容段階選択ルチンを行い、図４（ｂ）に示したように、段階Ｓ４１４で、図１に示す「強」キー１２２の入力が判断される場合、段階Ｓ４１６で「強」キー１２２の信号が入力される時間をカウントし、段階Ｓ４１８で、「強」キー１２２の信号の入力時間が、予め設定された時間以上であるか否かを判断し、判断の結果、設定時間以上でない場合は、段階Ｓ４２０でガルバニック電流、振動および遠赤外線の出力レベルを「強」に設定する。前記段階Ｓ４１８で「強」キー１２２の信号の入力時間が、予め設定された時間以上である場合、段階Ｓ４２２でメロディの出力が設定されているか否かを判断し、判断の結果、メロディの出力が設定されている場合は、段階Ｓ４２４でメロディの停止を設定し、メロディの出力が設定されていない場合は、段階Ｓ４２６でメロディの出力を設定する。
【００５４】
図４（ｃ）に示したように、段階Ｓ４２８で、図１に示す「弱」キー１１８の入力が判断される場合、段階Ｓ４３０で「弱」キー１１８の信号が入力される時間をカウントし、段階Ｓ４３２で、「弱」キー１１８の信号の入力時間が、予め設定された時間以上であるか否かを判断し、判断の結果、設定時間以上でない場合は、段階Ｓ４３４でガルバニック電流、振動および遠赤外線の出力レベルを「弱」に設定する。
前記段階Ｓ４３２で、「弱」キー１１８の信号の入力時間が、予め設定された時間以上である場合、段階Ｓ４３６で振動出力が設定されているか否かを判断し、判断の結果、振動出力が設定されている場合は、段階Ｓ４３８で、振動停止を設定し、振動出力が設定されていない場合は、段階Ｓ４４０で振動出力を設定する。
段階Ｓ４４２で図１に示す皮膚測定キー１２８の信号入力が判断される場合は、段階Ｓ４４４で後述する皮膚測定ルチンを遂行する。
【００５５】
前記図４の段階Ｓ４１２の美容段階選択ルチンは、図５に示したように、段階Ｓ５０２で、図１に示す美容段階選択キー１１４の押し時間の間、発光ダイオードを点灯させて美容段階選択キー１１４の入力を表示し、段階Ｓ５０４で、現在設定されている皮膚美容段階を判断する。
【００５６】
判断の結果、段階Ｓ５０６で、現在クレンジング段階が設定されている場合、段階Ｓ５０８でマッサージ段階を設定し、図１に示す該当の発光ダイオード１１２を点灯させてマッサージ段階の設定を表示する。
また、段階Ｓ５１０で、現在マッサージ段階が設定されている場合、段階Ｓ５１２で栄養供給段階を設定し、該当の発光ダイオード１１２を点灯させて、栄養供給段階の設定を表示し、また、段階Ｓ５１４で、現在栄養供給段階が設定されている場合、段階Ｓ５１６でリフティング段階を設定し、該当の発光ダイオード１１２を点灯させてリフティング段階の設定を表示し、さらに段階Ｓ５１８で、現在リフティング段階が設定されている場合は、段階Ｓ５２０で、クレンジング段階を設定し、該当の発光ダイオード１１２を点灯させてクレンジング段階の設定を表示する。
すなわち、美容段階選択ルチンでは、美容段階選択キー１１４を押すことによって、クレンジング段階→マッサージ段階→栄養供給段階→リフティング段階→クレンジング段階を繰り返って設定するようになっている。
【００５７】
図３に示した段階Ｓ３２８および図４に示した段階Ｓ４４４の皮膚測定ルチンは、図６に示したように、図２に示すマイクロコンピュータ２００は、段階Ｓ６０２で皮膚測定ルチンを行う時間をカウントし、段階Ｓ６０４で、予め設定された時間、例えば２０秒が経過されたか否かを判断して、設定の時間が経過されていない場合は、段階Ｓ６０６で、上述のように、図２に示すガルバニック電流検出部２７０が出力する皮膚測定信号を入力し、段階Ｓ６０８で入力した皮膚測定信号をデジタル信号に変換し、段階Ｓ６１０で皮膚測定信号を判断し、段階Ｓ６１２で判断したレベルで皮膚状態を確認し、かつ、図１に示す複数の発光ダイオード１２６を選択的に点灯させることにより、測定した顔面皮膚の状態を表示する。
例えば、測定した顔面皮膚の状態が乾性皮膚である場合は、左側の２つの発光ダイオード１２６を点灯させ、中性皮膚である場合は、中央の発光ダイオード１２６を点灯させ、脂性皮膚である場合は、右側の２つ発光ダイオード１２６を点灯させて顔面皮膚の状態を表示する。
このような状態で、前記段階Ｓ６０４で皮膚測定の設定時間が経過されると、マイクロコンピュータ２００は、段階Ｓ６１４で発光ダイオード１２６を全て消灯させ皮膚の測定状態の表示を停止し、皮膚測定の動作を終了する。
【００５８】
図３の段階Ｓ３３０の皮膚美容ルチンは、図７に示したように、段階Ｓ７０２で現在の皮膚美容段階を判断し、段階Ｓ７０４で、現在クレンジング段階に設定されている場合、段階Ｓ７０６で後述するクレンジングルチンを行い、皮膚の深いところに溜まっている毒素や老廃物を取り除く。
また、段階Ｓ７０８で、現在マッサージ段階に設定されている場合は、段階Ｓ７１０で、後述するマッサージルチンを遂行し、顔面皮膚の毛穴を拡張および縮小させながら色つやの良い皮膚を維持させ、段階Ｓ７１２で、現在栄養供給段階に設定されている場合、段階Ｓ７１４で、後述する栄養供給ルチンを遂行して皮膚の深いところにまで化粧品の栄養を供給し、段階Ｓ７１６で、現在リフティング段階が設定されている場合、段階Ｓ７１８で後述するリフティング段階を遂行して再び顔面皮膚の毛穴を拡張および縮小させながら、色つやの良い弾力性のある皮膚に維持させる。
【００５９】
図７の段階Ｓ７０６のクレンジングルチンは、図８に示したように、段階Ｓ８０２で、メロディの出力が設定されているか否かを判断する。
すなわち、前記図４の段階Ｓ４１４で、図１に示す「強」キー１２２を、設定の時間以上押すことにより、メロディの出力が設定されているか否かを判断する。
判断の結果、メロディの出力が設定されている場合、段階Ｓ８０４で図２に示すマイクロコンピュータ２００は、警報／メロディ出力部２４０を介して所定のメロディを出力し、使用者が設定した「強」または「弱」レベルで図２に示すガルバニック電流出力部２６０の直流／直流変換部２６２が電源（Ｂ＋）を昇圧させた状態で、段階Ｓ８０６で、図２に示す前記ガルバニック電流検出部２７０が出力する皮膚測定信号で、使用者の顔面皮膚にガルバニック電流が出力されるか否かを判断する。
【００６０】
前記段階Ｓ８０６で、使用者の顔面皮膚にガルバニック電流が出力されていない場合、段階Ｓ８０８で、図１に示す該当の発光ダイオード１１２を点灯させ、クレンジング段階の遂行停止を表示すると共に、ガルバニック電流が使用者の顔面皮膚に出力されていないことを表示する。
次の段階Ｓ８１０で、クレンジング段階を遂行する時間のカウントを一時停止し、段階Ｓ８１２で遠赤外線の出力および図２に示すモータ２８２の駆動を停止させる。
【００６１】
また、前記段階Ｓ８０６で、使用者の顔面皮膚にガルバニック電流が出力される場合、図２に示すマイクロコンピュータ２００は、段階Ｓ８１４で、図１に示す該当の発光ダイオード１１２を点滅させてクレンジング段階の遂行を表示し、段階Ｓ８１６でクレンジング段階の遂行時間をカウントし、段階Ｓ８１８で、予め設定されたクレンジング時間が経過されるか否かを判断する。
すなわち、使用者の顔面皮膚にガルバニック電流が出力され、クレンジング動作を遂行する時間のみをカウントしながら、予め設定されたクレンジング時間が経過されるか否かを判断する。
【００６２】
前記段階Ｓ８１８で、予め設定されたクレンジング時間が経過されていない場合、図２に示すマイクロコンピュータ２００は、段階Ｓ８２０で、クレンジング段階に該当するガルバニック電流を出力する。
すなわち、図１２（ａ）に示したように設定された約２〜３秒の時間（Ｔ）の間、約２〜１０Ｈｚの周波数を有する正のガルバニック電流を出力し、次の約２〜３秒の時間（Ｔ）の間、続けて連続的な正のガルバニック電流を出力することを繰り返す。
【００６３】
次の段階Ｓ８２２では、使用者が設定した「強」または「弱」レベルによって遠赤外線発生部２９０を制御することにより、遠赤外線を出力し、段階Ｓ８２４で、振動が設定されているか否かを判断する。
すなわち、図４の段階Ｓ４２８で、図１に示す「弱」キー１１８を設定の時間以上押して振動が設定されているか否かを判断する。
判断の結果、振動が設定されている場合は、使用者が設定した「強」または「弱」レベルによって図２に示す振動発生部２８０を制御し、モータ２８２を駆動させることにより、振動を発生させる。
【００６４】
このようにクレンジング段階では、所定時間（Ｔ）の周期で、使用者が設定した「強」または「弱」レベルと、所定の周波数を有する正のガルバニック電流および連続的な正のガルバニック電流を出力することを繰り返しながら遠赤外線を出力し、使用者の選択によって振動を発生しながら、皮膚の深いところに溜まっている毒素や老廃物を取り除く。
このような状態で、前記段階Ｓ８１８で設定されたクレンジング段階の遂行時間が経過すると、マイクロコンピュータ２００は、段階Ｓ８２８で次の皮膚美容段階であるマッサージ段階を設定し、クレンジング段階の遂行を終了する。
【００６５】
前記図７の段階Ｓ７１０のマッサージルチンは、図９に示したように、段階Ｓ９０２でメロディの出力が設定されている場合、段階Ｓ９０４で所定のメロディを出力し、使用者が設定した「強」または「弱」レベルで図２に示すガルバニック電流出力部２６０の直流／直流変換部２６２が電源（Ｂ＋）を昇圧させた状態で、段階Ｓ９０６で、使用者の顔面皮膚にガルバニック電流が出力されていない場合、段階Ｓ９０８で、図１に示す該当の発光ダイオード１１２を点灯させてマッサージ段階の遂行停止を表示すると共に、ガルバニック電流が使用者の顔面皮膚に出力されていないことを表示し、段階Ｓ９１０でマッサージ段階を遂行する時間のカウントを一時停止し、段階Ｓ９１２で遠赤外線の出力およびモータ２８２の駆動を停止させる。
【００６６】
また、前記段階Ｓ９０６で、使用者の顔面皮膚にガルバニック電流が出力されている場合、図２に示すマイクロコンピュータ２００は、段階Ｓ９１４で、図１に示す該当の発光ダイオード１１２を点滅させてマッサージ段階の遂行を表示し、段階Ｓ９１６でマッサージ段階の遂行時間をカウントし、段階Ｓ９１８で、予め設定されたマッサージ時間が経過していない場合、マイクロコンピュータ２００は、段階Ｓ９２０でマッサージ段階に該当するガルバニック電流を出力する。すなわち、図１２（ｂ）に示したように、設定された約２〜３秒の時間（Ｔ）の間、約２〜１０Ｈｚの周波数を有する正のガルバニック電流を出力し、次の約２〜３秒の時間（Ｔ）の間、約２〜１０Ｈｚの周波数を有する負のガルバニック電流を出力し、次の約２〜３秒の時間（Ｔ）の間は、約２〜１０Ｈｚの周波数を有する正および負のガルバニック電流を出力することを繰り返す。
【００６７】
次の段階Ｓ９２２では、使用者が設定した「強」または「弱」レベルによって図２に示す遠赤外線発生部２９０を制御して遠赤外線を出力し、段階Ｓ９２４で振動が設定されている場合、使用者が設定した「強」または「弱」レベルによって図に示す振動発生部２８０を制御してモータ２８２を駆動し、振動を発生する。
【００６８】
上述のように、マッサージの段階では、所定時間（Ｔ）の周期で、所定の周波数を有する正のガルバニック電流と、負のガルバニック電流と、正および負のガルバニック電流を繰り返って出力し、顔面皮膚の毛穴を拡張および縮小させることによって、色つやの良い弾性のある皮膚を維持できる。
このような状態で、前記段階Ｓ９１８で設定されたマッサージ段階の遂行時間が経過すると、図２に示すマイクロコンピュータ２００は、段階Ｓ９２８で次の皮膚美容段階である栄養供給の段階を設定し、マッサージ段階を遂行を終了する。
【００６９】
図７の段階Ｓ７１４の栄養供給ルチンは、図１０に示したように、段階Ｓ１００２でメロディの出力が設定されている場合は、段階Ｓ１００４で所定のメロディを出力し、段階Ｓ１００６で使用者の顔面皮膚にガルバニック電流が出力されていない場合、段階Ｓ１００８で図１に示す該当の発光ダイオード１１２を点灯させて栄養供給段階の遂行停止を表示すると共に、ガルバニック電流が使用者の顔面皮膚に出力されていないことを表示し、段階Ｓ１０１０で栄養供給段階の遂行時間のカウントを一時停止し、段階Ｓ１０１２で遠赤外線の出力および図２に示すモータ２８２の駆動を停止させる。
【００７０】
また、前記段階Ｓ１００６で使用者の顔面皮膚にガルバニック電流が出力される場合、図１に示すマイクロコンピュータ２００は、段階Ｓ１０１４で図１に示す該当の発光ダイオード１１２を点滅させて栄養供給段階の遂行を表示し、段階Ｓ１０１６でマッサージ段階の遂行時間をカウントし、段階Ｓ１０１８で、予め設定された栄養供給時間が経過されていない場合、マイクロコンピュータ２００は、段階Ｓ１０２０で栄養供給段階に該当するガルバニック電流を出力する。
すなわち、図１２（ｃ）に示したように、設定された約２〜３秒の時間（Ｔ）の間、約２〜１０Ｈｚの周波数を有する負のガルバニック電流を出力し、次の約２〜３秒の時間（Ｔ）の間、続けて連続的な負のガルバニック電流を出力することを繰り返す。
【００７１】
次の段階Ｓ１０２２では、使用者が設定した「強」または「弱」レベルにより、遠赤外線発生部２９０を制御して遠赤外線を出力し、段階Ｓ１０２４で振動が設定されている場合、使用者が設定した「強」または「弱」レベルによって振動発生部２８０を制御し、図２に示すモータ２８２を駆動し、振動を発生する。
【００７２】
上述のように、栄養供給の段階では、所定時間（Ｔ）の周期で、所定の周波数を有する負のガルバニック電流および連続的な負のガルバニック電流を繰り返って出力することにより、皮膚の深いところに化粧品の栄養を供給する。
このような状態で、前記段階Ｓ１０１８で設定された栄養供給段階の遂行時間が経過すると、図２に示すマイクロコンピュータ２００は、段階Ｓ１０２８で次の皮膚美容段階であるリフティング段階を設定し、栄養供給段階の遂行を終了する。
【００７３】
図７の段階Ｓ７１８のリフティングルチンは、図１１に示したように、段階Ｓ１１０２で、メロディの出力が設定されている場合は、段階Ｓ１１０４で所定のメロディを出力し、段階Ｓ１１０６で使用者の顔面皮膚にガルバニック電流がされていない場合は、段階Ｓ１１０８で図１に示す該当の発光ダイオード１１２を点灯させてリフティング段階の遂行停止を表示すると共に、ガルバニック電流が使用者の顔面皮膚に出力されていないことを表示し、段階Ｓ１１１０でリフティング段階の遂行時間のカウントを一時停止し、段階Ｓ１１１２で遠赤外線の出力を停止させる。
【００７４】
また、前記段階Ｓ１１０６で使用者の顔面皮膚にガルバニック電流が出力される場合、段階Ｓ１１１４で図１に示す該当の発光ダイオード１１２を点滅させてリフティング段階の遂行を表示し、段階Ｓ１１１６でリフティング段階の遂行時間をカウントし、段階Ｓ１１１８で予め設定されたリフティング時間が経過していない場合、図１に示すマイクロコンピュータ２００は、段階Ｓ１１２０でリフティング段階に該当するガルバニック電流を出力する。
すなわち、図１２（ｄ）に示したように、設定された約０．５〜５Ｈｚの範囲で周波数が可変する正および負のガルバニック電流を出力する。
【００７５】
次の段階Ｓ１１２２では、使用者が設定した「強」または「弱」レベルにより遠赤外線発生部２９０を制御して遠赤外線を出力する。
【００７６】
上述のように、リフティング段階では、約０．５〜５Ｈｚの範囲で周波数が可変する正および負のガルバニック電流を出力し、遠赤外線を出力することによって、さらに顔面皮膚の毛穴を拡張および縮小させながら、色つやの良い弾性のある皮膚を維持させる。
このような状態で、前記段階Ｓ１１１８で設定されたリフティング段階の遂行時間が経過すると、図２に示すマイクロコンピュータ２００は、段階Ｓ１１２４で全ての皮膚美容段階の遂行を終了する。
【００７７】
ここで、上記クレンジング段階、マッサージ段階および栄養供給段階において、使用者が振動の出力を設定するようにしたのは、図２に示すモータ２８２の駆動による騒音を嫌う使用者のために、振動を使用しないことにより、モータ２８２の駆動による振動を発生しないためである。
また、前記メロディの出力を設定するのは、騒音の発生は嫌うが、振動を使用したい消費者が、メロディの出力を設定し、相対的に騒音を少なくするためである。
【００７８】
なお、上記では、振動の発生を設定したとき、クレンジング段階、マッサージ段階および栄養供給の段階で、続けてモータを駆動させて振動を発生させることについて説明したが、本発明は、これに限定されるものではなく、モータ２８２を周期的に駆動および停止させ、所定のリズムで振動を発生させることも含む。
【００７９】
【発明の効果】
以上のように、本発明の携帯用皮膚美容機器によれば、使用者が簡便に携帯しながらガルバニック電流、遠赤外線および振動を皮膚に当てることにより、皮膚美容を遂行するのは勿論、皮膚美容段階で出力するガルバニック電流を周期的に可変させることにより、皮膚刺激の効果が高く、これにより、常に弾力性を有し、かつ、色つやの良い皮膚を維持できる。
【図面の簡単な説明】
【図１】本発明に係る携帯用皮膚美容機器の外観を示した斜視図である。
【図２】本発明の携帯用皮膚美容機器の電気回路図である。
【図３】メインルチンを示した信号流れ図である。
【図４】図３のキー信号入力ルチンを示した信号流れ図である。
【図５】図４の美容段階選択ルチンを示した信号流れ図である。
【図６】図３および図４の皮膚測定ルチンを示した信号流れ図である。
【図７】図３の皮膚美容ルチンを示した信号流れ図である。
【図８】図７のクレンジングルチンを示した信号流れ図である。
【図９】図７のマッサージルチンを示した信号流れ図である。
【図１０】図７の栄養供給ルチンを示した信号流れ図である。
【図１１】図７のリフティングルチンを示した信号流れ図である。
【図１２】本発明の携帯用皮膚美容機器の各美容段階におけるガルバニック電流の波形図である。
【符号の説明】
１００ 携帯用皮膚美容機
１０１ 本体
１０２ 顔面皮膚接触部
ＵＤ１、ＵＤ３、ＵＤ５ 遠赤外線ダイオード
１０４ 遠赤外線出力部
１０６ 接地部
１０８ 電源キー
１１０ 表示窓
１１２、１１６、１２０、１２４、１２６、１３０、１３２ 発光ダイオード
１１４ 美容段階選択キー
１１８ 「弱」キー
１２２ 「強」キー
１２８ 皮膚測定キー
２００ マイクロコンピュータ
２１０ 表示部
２２０ キー入力部
２３０ 初期リセット部
２４０ 警報／メロディ出力部
２５０ バッテリ検出部
２６０ ガルバニック電流出力部
２６０Ａ 直流／直流変換用集積素子
２６２ 直流／直流変換部
２６４ 電源レベル調節部
２６６ ガルバニック電流の流れ方向切替え部
２７０ ガルバニック電流検出部
２７２ フォトカップラ
２７６ 演算増幅器
２８０ 振動発生部
２８２ モータ
２９０ 遠赤外線発生部
【図１】
0003762595.tif 000002
【図２】
0003762595.tif 000003
【図３】
0003762595.tif 000004
【図４】
0003762595.tif 000005
【図５】
0003762595.tif 000006
【図６】
0003762595.tif 000007
【図７】
0003762595.tif 000008
【図８】
0003762595.tif 000009
【図９】
0003762595.tif 000010
【図１０】
0003762595.tif 000011
【図１１】
0003762595.tif 000012
【図１２】
0003762595.tif 000013